(57)【要約】【課題】使用者特有の撮影条件を予め設定し、使用者に応じた適切な撮影が可能となる撮影装置を得る。【解決手段】グリップ７２をデジタルカメラ１０の本体１１から着脱可能にすると共に、デジタルカメラ１０の使用者を、男性、女性、子供、工事現場用に分類し、分類毎にグリップ７２の形状を変える。これにより、一つのデジタルカメラ１０に対して、複数種のグリップ７２が得られ、使用者に応じてグリップ７２を変え、把持しやすいグリップ７２を得ることができる。また、各グリップ７２毎に使用者特有の撮影条件を予め設定して記憶させる。これにより、このデジタルカメラ１０を初めて使用する人でも適切な撮影条件で撮影を行なうことができ、便利であると共に、誤作動を防止することができる。【選択図】  図２
2004343206.tif 000002
【特許請求の範囲】
【請求項１】
撮影装置本体を使用する使用者の分類に応じて設定された撮影条件を切替える切替手段が設けられたことを特徴とする撮影装置。
【請求項２】
前記切換手段が、前記撮影装置本体に対して着脱可能に設けられた把持部であり、
前記把持部が、
前記撮影装置本体に対して電気的に接続される接点手段と、
使用者の分類に応じた撮影条件が記憶され、前記接点手段が前記撮影装置本体に対して電気的に接続されると、撮影装置本体に配設された制御手段へ前記撮影条件を出力する記憶手段と、
を有することを特徴とする請求項１に記載の撮影装置。
【請求項３】
前記把持部の形状が前記使用者の分類に応じて異なることを特徴とする請求項２に記載の撮影装置。
【請求項４】
前記撮影装置本体を使用する使用者のデータを登録する使用者登録機能を前記把持部が備えると共に、登録されたデータと使用者のデータとの照合を行なうデータ照合機能を前記撮影装置本体が備えることを特徴とする請求項２又は３に記載の撮影装置。
【請求項５】
前記把持部が形状記憶樹脂であることを特徴とする請求項２〜４の何れかに記載の撮影装置。
【発明の詳細な説明】
【０００１】
【発明の属する技術分野】
本発明は、デジタルカメラ等の撮影装置に関する。
【０００２】
【従来の技術】
従来より、撮影装置としてのデジタルカメラにＬＣＤ等によって構成されたモニタ画面を設けることは一般的となっている。このモニタ画面には、撮影によりメモリに記憶された画像データに基づく再生画像が表示可能となっており、使用者が撮影した画像が確認できるようになっている。また、モニタ画面には、デジタルカメラの撮影条件が表示可能となっており、モード切替えボタン等で撮影条件の設定が行われる。
【０００３】
この撮影条件は、デジタルカメラを使用する使用者のレベルによってある程度分類することができる。例えば、使用者が子供の場合、一般的に、撮影された画像の画質の高さよりも、撮影可能な枚数が多い方が良いと考えられる。また、子供の場合、撮影時に手ブレが生じ、せっかく撮影した画像が手ブレによってきれいに撮影されていないということも往々にしてある。
【０００４】
このため、子供が使用する場合は、少なくともデジタルカメラの撮影条件を低画質に設定して撮影可能な枚数を増やすと共に、手ブレによる画像ブレを防止するため、シャッタスピードを早くする目的で強制ストロボに設定して被写体像を撮影した方が良いと考えられる。
【０００５】
一方、特許文献１では、直前の撮影条件を一時的に保存して、簡単な確認を行えるようにした技術が開示されている。このデジタルカメラでは、直前に撮影された撮影条件を記憶し、カメラ本体の表示部に表示させて確認すると共に、この撮影条件と同じ条件で撮影することが可能となっている。また、撮影条件を変える場合は、所定の操作によってメモリ内容および表示内容をリセットすることもできる。
【０００６】
【特許文献１】
特開平６−３０３１２号公報
【０００７】
【発明が解決しようとする課題】
しかしながら、これはあくまでも直前に撮影された撮影条件と同じ撮影条件が可能となるだけであり、使用者特有の撮影条件を設定するというものではない。
【０００８】
本発明は上記事実を考慮し、使用者特有の撮影条件を予め設定し、使用者に応じた適切な撮影が可能となる撮影装置を提供することを目的とする。
【０００９】
【課題を解決するための手段】
請求項１に記載の発明は、撮影装置本体を使用する使用者の分類に応じて設定された撮影条件を切替える切替手段が設けられたことを特徴としている。
【００１０】
例えば、子供の場合は、一般的に、撮影された画像の画質の高さよりも、撮影可能な枚数が多い方が良いと考えられ、また、撮影時には手ブレが生じやすい。
【００１１】
このため、請求項１に記載の発明では、使用者の分類として大人モードと子供モードを設け、切替手段で子供モードに切替えることで、撮影条件として画素数を低くし、また、強制ストロボに設定して、シャッタースピードを上げて手ブレを防止するようにする。
【００１２】
また、子供モードでは、撮影に必要な条件のみを機能させるようにして、他の機能について選択してもキャンセルされるようにしておく。これにより、すでに記憶された画像を、子供が誤って消去してしまうという恐れはなくなる。
【００１３】
このように、使用者を分類し、また、使用者特有の撮影条件を設定しておくことで、この撮影装置を初めて使用する人でも適切な撮影条件で撮影を行なうことができ、便利であると共に、誤作動を防止することができる。
【００１４】
請求項２に記載の発明は、前記切換手段が、前記撮影装置本体に対して着脱可能に設けられた把持部であり、前記把持部が、前記撮影装置本体に対して電気的に接続される接点手段と、使用者の分類に応じた撮影条件が記憶され、前記接点手段が前記撮影装置本体に対して電気的に接続されると、撮影装置本体に配設された制御手段へ前記撮影条件を出力する記憶手段と、を有することを特徴としている。
【００１５】
請求項２に記載の発明では、把持部を撮影装置本体に対して着脱可能に設けると共に、把持部を切替手段としている。そして、把持部に、使用者の分類に応じた撮影条件を記憶させる記憶手段を設け、把持部に設けた接点手段を撮影装置本体に対して電気的に接続させると、該記憶手段に記憶された撮影条件が撮影装置本体に配設された制御手段へ出力されるようにしている。
【００１６】
このように、把持部を切換手段とすることで、使用者の分類に応じて把持部の大きさ等を変えることができる。これにより、デジタルカメラの外観を見ただけで、デジタルカメラの撮影条件が大人モードであるか子供モードであるか分かるようになるため、間違ったモードで撮影されることはない。
【００１７】
請求項３に記載の発明は、前記把持部の形状が前記使用者の分類に応じて異なることを特徴としている。
【００１８】
請求項３に記載の発明では、把持部の形状を使用者の分類に応じて変えている。例えば、大人と１２歳未満くらいの子供とでは、手の大きさが異なり、子供の手の大きさは大人と比較して手の長さも幅も小さい。
【００１９】
通常、被写体像を撮影するときに操作する操作ボタンは、撮影装置の上面側に配置されている場合が多く、被写体像を撮影するときには、少なくともこの操作ボタンに指を掛けなければならないため、子供が撮影するときは、撮影装置に取り付けられた把持部の上方側しか把持できないこととなる。
【００２０】
このため、使用者を少なくとも大人と子供で分類し、子供用の把持部では、上方部に手を引っ掛けるための凹凸部を形成し、子供が持ちやすい形状とすることで、子供でも持ちやすい撮影装置とすることができ、撮影装置の落下を防止することができる。
【００２１】
また、スキー或いは工事現場などでは、特定のグローブを手にはめているが、グローブをはめた状態で撮影する場合、グローブを手にはめていない状態で把持部を把持する場合と比較して把持部が小さく感じられ、把持部を把持し難い。
【００２２】
このため、使用者の分類の一つとして、スキー或いは工事現場で使用する使用者を加え、大きい把持部を形成する。これにより、グローブをはめた状態でも撮影装置をしっかり持つことができることとなる。このように、使用者に応じて把持部の形状を変えることで、必要充分な大きさの把持部を得ることができる。
【００２３】
請求項４に記載の発明は、前記撮影装置本体を使用する使用者のデータを登録する使用者登録機能を前記把持部が備えると共に、登録されたデータと使用者のデータとの照合を行なうデータ照合機能を前記撮影装置本体が備えることを特徴としている。
【００２４】
請求項４に記載の発明では、把持部には、撮影装置本体を使用する使用者のデータを登録する使用者登録機能を備えており、撮影装置本体には、登録されたデータと使用者のデータとの照合を行なうデータ照合機能を備えている。
【００２５】
このため、使用者登録機能を用いて使用者のデータを登録した後、撮影装置本体を使用するとき、データ照合機能によって、使用者のデータと登録されたデータとの照合が行なわれる。
【００２６】
これにより、登録された使用者以外の第三者が、該撮影装置を使用することができないようにすることができる。このため、撮影装置が盗難された場合でも、盗難者によって該撮影装置が不正に使用されることはない。
【００２７】
請求項５に記載の発明は、前記把持部が形状記憶樹脂であることを特徴としている。請求項５に記載の発明では、把持部を形状記憶樹脂で形成させる。例えば、撮影装置の連続使用時の発熱温度よりも高い温度の転移温度を有する形状記憶樹脂を用い、転移温度以上のお湯で形状記憶樹脂を柔らかくして、自分の手に合わせた状態で形状記憶樹脂を転移温度以下にする。これにより、自分の手に合った把持部が形成され、撮影装置本体を持ちやすくすることができる。
【００２８】
【発明の実施の形態】
次に、本発明の実施の形態に係る撮影装置としてのデジタルカメラについて説明する。
【００２９】
図１（Ａ）、（Ｂ）に示すように、デジタルカメラ１０の正面には、露光に際して被写体像が適正な露光光量が得られない低照度の場合に発光されるストロボ２８と、撮影される被写体像と略同等の像を示す光が入射するファインダー窓６４と、レンズ７０を保護するための開閉可能なレンズバリヤ６６と、が設けられている。
【００３０】
また、デジタルカメラ１０の正面左端部には、把持部としてのグリップ７２が設けられており、図２に示すように、デジタルカメラ１０の本体１１に対して着脱可能としている（後述する）。
【００３１】
また、図１（Ａ）、（Ｂ）に示すように、デジタルカメラ１０の本体１１内部には、被写体像を結像させるためのレンズ７０等が沈胴されており、撮影時には、レンズバリヤ６６が開状態にされ、光軸方向に伸縮可能な鏡筒６８が伸長して、沈胴されていたレンズ７０が外部に現れるようになっている。
【００３２】
ところで、デジタルカメラ１０には、図３に示すように、撮像デバイスとしてＣＣＤ（Ｃｈａｒｇｅ  Ｃｏｕｐｌｅｄ  Ｄｅｖｉｃｅ）１２が設けられており、このＣＣＤ１２に被写体像を結像させるレンズ７０等を含んで形成される光学ユニット１４を備えている。
【００３３】
ＣＣＤ１２は、二次元配列された図示しない多数の光電変換素子を備えており、光学ユニット１４を介してＣＣＤ１２に結像される被写体像に応じて、個々の光電変換素子に蓄積された電荷に応じた電気信号を出力する。
【００３４】
また、デジタルカメラ１０では、このＣＣＤ１２から出力される電気信号に基づいて、被写体像のデジタル画像データが生成される。なお、撮像デバイスとしては、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等を用いることもできる。
【００３５】
さらに、デジタルカメラ１０には、信号処理部１６、Ａ／Ｄコンバータ（Ａ／Ｄ）１８、バッファメモリ２０及びタイミングジェネレータ（ＴＧ）２２が設けられている。このＴＧ２２は、ＣＣＤ１２に設けられている図示しない垂直・水平ドライバが所定のタイミングで駆動することにより、ＣＣＤ１２から各画素ごとの電気信号を出力させると共に、信号処理部１６及びＡ／Ｄコンバータ１８の動作タイミングを制御する。
【００３６】
これにより、ＣＣＤ１２から出力される電気信号は、信号処理部１６で、相関二重サンプリング処理が施されることによりノイズ除去が図られると共に、ＣＣＤ１２におけるＲ、Ｇ、Ｂの各色の感度調整、光源種に応じたデジタルゲインをかけることによるホワイトバランス調整（ＡＷＢ調整）、ガンマ処理及びシャープネス処理が施された後、各画素毎のＲ、Ｇ、Ｂの各色の信号として、Ａ／Ｄコンバータ１８に入力される。
【００３７】
そして、Ａ／Ｄコンバータ１８は、各画素ごとのＲ、Ｇ、Ｂの各色の信号をデジタル信号に変換して出力する。これにより、被写体像に応じた８ビットのデジタル画像データがバッファメモリ２０に格納される。
【００３８】
また、デジタルカメラ１０には、測光、焦点距離を調整する撮影ＣＰＵ２４が設けられている。この撮影ＣＰＵ２４は、ＣＣＤ１２によって撮影された被写体像（バッファメモリ２０に格納されたデジタル画像データ）に基づいて設定される露光時間、絞り値等に応じて、図示しないドライバを介して光学ユニット１４に含まれるシャッタ及び絞りを駆動させる図示しないシャッタ・アイリスモータドライバを制御する。
【００３９】
なお、撮影ＣＰＵ２４には、充電・発光制御部２６を介してストロボ２８が接続されており、ＣＣＤ１２に結像される被写体像を撮影するときのストロボ２８の発光も制御している。
【００４０】
さらに、デジタルカメラ１０には、メインＣＰＵ３０、ＹＣ処理部３２及び各種のパラメータやプログラムを記憶しているＥＥＰＲＯＭ３４が設けられ、これらがバッファメモリ２０及び撮影ＣＰＵ２４と共にバス（システムバス）３６に接続している。
【００４１】
光学ユニット１４は、ＣＣＤ１２に被写体像を結像するときの焦点調整を行う焦点調整モータ及びズームモータを備えており（何れも図示省略）、メインＣＰＵ３０は、撮影ＣＰＵ２４を介してＣＣＤ１２を用いた被写体像の撮像と共に、デジタルカメラ１０の全体の動作を制御する。
【００４２】
また、光学ユニット１４は、複数枚のレンズ７０によって焦点距離の変更が可能なズームレンズが形成され、レンズ駆動機構のズームモータ及び焦点調整モータが撮影ＣＰＵ２４を介してメインＣＰＵ３０から入力される駆動信号によって駆動されることにより、倍率（光学ズーム倍率）変更及び焦点調整がなされる。
【００４３】
また、図１（Ａ）、（Ｂ）及び図４に示すように、デジタルカメラ１０には、デジタルカメラ１０の電源スイッチ３５と共に、レリーズスイッチ３８、メニュースイッチ（ＭＥＮＵ／ＯＫ）４０、上下左右の矢印（三角マーク）キーによって形成される選択キー４２等の各種のスイッチを備えている。
【００４４】
さらに、図３に示すように、メインＣＰＵ３０には、これらのスイッチ（ここでは、レリーズスイッチ３８を図示する）が、図示しないインターフェイスを介して接続しており、これにより、メインＣＰＵ３０は、各種スイッチの操作状態の把握が可能となっている。
【００４５】
メインＣＰＵ３０は、撮影ＣＰＵ２４を制御することによりＴＧ２２からタイミング信号を出力して、ＣＣＤ１２に結像される被写体像に応じた電気信号を読み込み、この電気信号に基づいて生成したデジタル画像データをバッファメモリ２０に格納する。
【００４６】
なお、ＣＣＤ１２には、シャッタゲートを介してシャッタドレインが設けられた一般的構成となっており、シャッタゲートをシャッタパルスによって駆動することにより、ＣＣＤ１２に結像された被写体像に応じて各光電変換素子に蓄積された電荷に応じた電気信号を出力する。
【００４７】
すなわち、ＣＣＤ１２は、シャッタゲートパルスによって各光電変換素子に蓄積される電荷の蓄積時間（シャッタスピード）が制御されるいわゆる電子シャッタ機能を備えている。
【００４８】
また、メインＣＰＵ３０は、バッファメモリ２０に格納したデジタル画像データに基づいて、ＡＦ制御、ＡＥ制御及びＡＷＢ調整が行われるようにしている。すなわち、メインＣＰＵ３０は、ＣＣＤ１２による撮像によって得られる画像のコントラストが最大となるように焦点調整モータを駆動することにより焦点調整のための合焦制御を行う。
【００４９】
ＡＥ制御には、１フレームのＲ、Ｇ、Ｂ信号を積算した積算値に基づいて被写体輝度（撮影ＥＶ）を求め、この撮影ＥＶに基づいて露光制御値として、絞り値と、シャッタスピードを決定し、撮影ＣＰＵ２４を介して光学ユニット１４内のシャッタ・アイリスモータを駆動させる。
【００５０】
また、ＡＷＢ調整は、被写体輝度（撮影ＥＶ）と、Ｒ／Ｇ、Ｂ／Ｇといった色情報を用いて光源種を判別し、光源の色温度にかかわらず白い被写体が白く色再現されるようにホワイトバランスを調整するためのデジタルゲインを設定する。
【００５１】
これにより、デジタルカメラでは、被写体をフォーカスフレーム内に配置することにより、ピント合わせが自動的になされると共に、最適露出及びＡＷＢ調整が行われる。
【００５２】
デジタルカメラ１０では、静止画を撮影するときに、レリーズスイッチ３８を半押しすることにより、上記動作を複数回繰返し、ピント調整を行うと共に、絞り値及びシャッタスピード、デジタルゲインを決定する。
【００５３】
この状態（レリーズスイッチ３８の半押し状態）から、レリーズスイッチ３８をさらに押下して全押し状態とすることにより、先に決定した絞り値に基づいて、シャッタ・アイリスモータを駆動させ、さらに、シャッタスピードの決定値に基づいて、シャッタ・アイリスモータを駆動させ、被写体像に応じたデジタル画像データを得る。
【００５４】
ＹＣ処理部３２は、バッファメモリ２０に格納されたデジタル画像データを読み出して、このデジタル画像データに対して所定の画像処理を施す。このときに、ＹＣ処理部３２では、デジタル画像データに対してＹＣ信号処理を施すことにより、輝度信号Ｙとクロマ信号Ｃｒ、Ｃｂを生成し（以下「ＹＣ信号」とする）、このＹＣ信号を、図示しないＶＲＡＭ（Ｖｉｄｅｏ  ＲＡＭ）に格納する。
【００５５】
一方、デジタルカメラ１０は、ＣＣＤ１２に結像されている被写体像、ＣＣＤ１２による撮影によって得られる被写体像や各種の情報等表示するＬＣＤ４６を備えており、このＬＣＤ４６が、ＬＣＤドライバ４８及び信号変換部５０を介して、バス３６に接続している。
【００５６】
信号変換部５０は、ＹＣ処理部３２で生成されたＹＣ信号等を、ＬＣＤ４６での画像表示用のＲＧＢ信号（例えばＮＴＳＣ方式のカラー複合映像信号）に変換する。これにより、ＬＣＤ４６には、デジタル画像データに応じた画像や各種の情報が表示される。
【００５７】
なお、ＣＣＤ１２に結像される被写体像を表示するエレクトリック・ビューファインダ（ＥＶＦ）が設けられているときには、各種の情報や被写体像をＬＣＤ４６とＥＶＦとの何れに表示するかを切換える切換えスイッチ４５を用いて、切換えることができる。
【００５８】
また、デジタルカメラ１０には、操作表示を行うＬＣＤ５４が設けられており、このＬＣＤ５４が図示しないインターフェイスを介して、メインＣＰＵ３０に接続し、これにより、ＬＣＤ５４に各種の撮影情報が表示される。
【００５９】
ところで、デジタルカメラ１０には、圧縮・伸張部５６が設けられており、この圧縮・伸張部５６が、バス３６に接続している。また、この圧縮・伸張部５６には、インターフェイス（Ｉ／Ｆ）５８を介して可搬式の記憶メディアであるメモリカード６０が、記憶手段として装着されるようになっている。
【００６０】
このメモリカード６０としては、スマートメディア、ＩＣカード、ＣＤ−Ｒ、ＣＤ−ＲＷなどの可搬型の記憶メディア（記憶媒体）の適用が可能となっており、デジタルカメラ１０には、適用する記憶メディアに応じたＩ／Ｆ５８が設けられている。
【００６１】
メインＣＰＵ３０は、ＹＣ処理を施したデジタル画像データに対して、圧縮・伸張部５６で所定の圧縮処理を施して、メモリカード６０に記録する。また、メインＣＰＵ３０は、メモリカード６０に記憶されているデジタル画像データを読み出すときに、圧縮・伸張部５６で伸張処理を施す。これにより、メモリカード６０に記憶しているデジタル画像データに応じた画像を、ＬＣＤ４６等に表示可能となるようにしている。
【００６２】
一方、デジタルカメラ１０では、静止画撮影に加えて、動画撮影が可能となっている。すなわち、デジタルカメラ１０には、メモリカード６０等に記録しているデジタル画像データ等を、ＬＣＤ４６に表示する再生モードと、静止画撮影を行う静止画撮影モードと、動画撮影を行う動画撮影モードと、の何れかに切換えて使用可能となっている。なお、デジタルカメラ１０としては、動画撮影中に静止画撮影が可能な動画／静止画撮影モードを備えたものであっても良い。
【００６３】
静止画撮影モードでは、１回のレリーズスイッチ３８の操作によって、１シーンの被写体像を得る。このとき、メインＣＰＵ３０では、シャッタスピード及び絞り値等を最適に制御して、ＣＣＤ１２の画素数に応じた高解像度の得ることができる。なお、静止画撮影モードには、連写モードが含まれ、この連写モードでは、レリーズスイッチ３８を押下しつづけることにより、複数シーンの静止画撮影（連写）が可能となっている。
【００６４】
これに対して、動画撮影モードでは、例えば１秒間に１０フレーム分の被写体像が得られるシャッタスピード、絞り値等が設定され、レリーズスイッチ３８が押下されてから、次にレリーズスイッチ３８が押下されるまでの間のフレームが連続するようにデジタル画像データが生成される。
【００６５】
圧縮・伸張部５６は、１チップのＬＳＩ（Ｌａｒｇｅ  Ｓｃａｌｅ  Ｉｎｔｅｇｒａｔｅｄ  ｃｉｒｃｕｉｔ）を用いるなどして形成されており、静止画撮影を行った時に、この静止画のデジタル画像データをＪＰＥＧ（Ｊｏｉｎｔ  Ｐｈｏｔｏｇｒａｐｈｉｃ  Ｃｏｄｉｎｇ  Ｅｘｐｅｒｔ  Ｇｒｏｕｐ）等の圧縮方式を用いて、圧縮処理を行う。
【００６６】
また、圧縮・伸張部５６では、動画撮影により得られるデジタル画像データを、ＭｏｔｉｏｎＪＰＥＧや符号化ビットレートが１Ｍｂｐｓ程度で従来から使用されているＭＰＥＧ（Ｍｏｖｉｎｇ  Ｐｉｃｔｕｒｅ  Ｅｘｐｅｒｔ  Ｇｒｏｕｐ）−１に加えて、符号化ビットレートが４Ｍｂｐｓ〜数十Ｍｂｐｓの間で可変可能で動画像を高品質で再現可能なＭＰＥＧ−２の圧縮方式を用いて圧縮処理を行う。なお、圧縮・伸張部５６としては、これらに加えて、各種の通信に用いられるＭＰＥＧ−４等による圧縮及び伸張処理が可能となるものであっても良い。
【００６７】
このように構成されているデジタルカメラ１０では、図示しないモード切換えスイッチによって静止画撮影モードが選択されて、レリーズスイッチ３８が操作されることにより、被写体を静止画として撮影する。
【００６８】
このとき、デジタルカメラ１０に設けているメインＣＰＵ３０は、ＣＣＤ１２に結像される被写体像から、ピント調整（合焦制御）を行うと共に露光時間（シャッタスピード）や絞り値を設定して、設定したシャッタスピード及び絞り値で、静止画撮影を行う。
【００６９】
また、メインＣＰＵ３０では、ＣＣＤ１２に結像される被写体像に基づいて決定したデジタルゲインに基づいたＡＷＢ調整、ガンマ処理及びシャープネス処理を行った後、ＹＣ処理を行うことにより静止画データを得る。デジタルカメラ１０では、この静止画データを圧縮・伸張部５６で例えばＪＰＥＧ形式で圧縮処理してメモリカード６０に記録する。
【００７０】
一方、デジタルカメラ１０は、動画撮影モードに設定された状態でレリーズスイッチ３８を操作することにより動画撮影を開始する。このとき、メインＣＰＵ３０は、例えば、シャッタスピードを固定値として、ＣＣＤ１２に結像された被写体像に基づいて設定した絞り値で被写体像を撮影して、ＡＷＢ調整、ガンマ処理及びシャープネス処理を行い、１０フレーム／秒の動画データを得る。
【００７１】
この動画データは、ＹＣ処理が施された後に、圧縮・伸張部５６で圧縮処理されてメモリカード６０に記録される。このとき、圧縮・伸張部５６は、動画データを、従来のＭＰＥＧ−１よりも高画質で圧縮可能なＭＰＥＧ−２の圧縮形式で圧縮可能となっており、長時間撮影された動画データを高画質で再生可能できるようにしている。
【００７２】
次に、本発明の実施の形態の要旨及び作用について説明する。
【００７３】
図２及び図５に示すように、デジタルカメラ１０の正面左端部に位置するグリップ７２（把持部）を、デジタルカメラ１０の本体１１に対して着脱可能としている。このグリップ７２は略円柱体を軸方向に沿って半分に切り落とした形状を成しており、グリップ７２の軸方向に沿ってフラット面部７４を設けている。
【００７４】
このフラット面部７４の両側端部からは、グリップ７２の軸方向に沿って当接片７６、７８を対面して設けており、当接片７６には凹部７６Ａを凹設させている。
【００７５】
一方、デジタルカメラ１０の本体１１の正面左端部には、グリップ７２が収容可能な収容部８０を設けている。この収容部８０には、グリップ７２が収容部８０内に収容された状態でグリップ７２の当接片７６に対面するガイド面８２、８４を設けており、当接片７６、７８をガイド面８２、８４に摺動させて、グリップ７２を収容部８０内へ案内し、本体１１に装着させる。
【００７６】
ここで、ガイド面８２には、貫通穴８２Ａを設けており、貫通穴８２Ａからは爪部８６を出入可能としている。爪部８６の裏面側には、フランジ部８６Ａを張り出させており、貫通穴８２Ａの周縁部に当接して、爪部８６の抜け止めを行なっている。
【００７７】
フランジ部８６Ａの裏面中央部からは、図示しない内挿シャフトを突出させており、略Ｌ字状に折り曲げた中空のＬ字シャフト８８の一端部内へ挿通させている。このＬ字シャフト８８の他端部には、スライドレバー９０を固定しており、このスライドレバー９０を本体１１の底面に設けた長穴部９２から露出させている。
【００７８】
また、Ｌ字シャフト８８の一端側には、環状のストッパー９４を取り付けており、コイルスプリング９６の一端部を固定している。このコイルスプリング９６をＬ字シャフト８８に巻装させ、コイルスプリング９６の他端部をフランジ部８６Ａの裏面に固定し、コイルスプリング９６の爪部８６を貫通穴８２Ａから突出させる方向へ付勢させる。
【００７９】
上記構成により、当接片７６、７８がガイド面８２、８４を摺動するとき、当接片７６によって、爪部８６がコイルスプリング９６の付勢力の抗する方向へ押圧され、内挿シャフトをＬ字シャフト８８の奥方へ移動させて、爪部８６が貫通穴８２Ａ内へ押し入れられる。
【００８０】
そして、当接片７６の凹部７６Ａが爪部８６に到達すると、コイルスプリング９６の付勢力によって爪部８６は凹部７６Ａと係合する。これにより、グリップ７２は収容部８０内に収容され、本体１１に装着される。
【００８１】
この状態で、スライドレバー９０を長穴部９２に沿って矢印Ａ方向へスライドさせると、スライドレバー９０と一体にＬ字シャフト８８が矢印Ａ方向へスライドし、コイルスプリング９６を介して爪部８６が貫通穴８２Ａ内へ移動する。これにより、爪部８６はグリップ７２の凹部７６Ａから係合解除され、グリップ７２を本体１１から取り外すことができる。
【００８２】
ところで、グリップ７２内には、図示しない複数の電池が収容されており、グリップ７２の上面には、接点部９８が設けられている。グリップ７２がデジタルカメラ１０の本体１１に装着された状態で、収容部８０に設けられた図示しない接点部に接触して、グリップ７２と本体１１とが電気的に接続され、デジタルカメラ１０が操作可能となる。
【００８３】
ここで、一つのデジタルカメラ１０に対して、形状の異なるグリップ７２を数種形成させる。すなわち、標準の大きさのグリップ７２に加え、図６（Ａ）〜（Ｃ）に示すように、子供用グリップ７２Ａ、女性用グリップ７２Ｂ、特殊グリップ７２Ｃを形成させる。
【００８４】
図５に示すように、グリップ７２は、一般的な成人男性を対象とする標準サイズとしており、外面にはグリップ７２の高さ方向に沿って凹部１００を設け、グリップ７２を把持したときに手を引っ掛けて持ちやすくしている。
【００８５】
ところで、一般的に大人と１２歳未満くらいの子供とでは、手の大きさが異なり、子供の手の大きさは大人と比較して手の長さも幅も小さい。また、図１（Ａ）、（Ｂ）に示すように、被写体像を撮影するときに操作するレリーズスイッチ３８は、デジタルカメラ１０の本体１１の上面側に配置されており、被写体像を撮影するときには、少なくともこのレリーズスイッチ３８に指を掛けなければならない。このため、子供が撮影するときは、デジタルカメラ１０の本体１１に取り付けられたグリップ７２の上方側しか把持できないことになる。
【００８６】
したがって、図５及び図６（Ａ）に示すように、子供用グリップ７２Ａでは、グリップ７２と比較して、肉厚ｔ１（ｔ１＜ｔ）を薄くすると共に、手を引っ掛けるための凹部１００Ａを上方部に形成させ、子供が持ちやすい形状としている。
【００８７】
このように、グリップ７２とは別に、子供用グリップ７２Ａを設けることで、子供でもデジタルカメラ１０を持ちやすくすることができ、デジタルカメラ１０の落下を防止することができる。
【００８８】
また、図５及び図６（Ｂ）に示すように、女性用グリップ７２Ｂでは、一般的に女性の手の大きさは男性の手と比較して小さいため、グリップ７２と比較して肉厚ｔ２（ｔ２＜ｔ）を薄くし、女性が持ちやすい形状としている。
【００８９】
さらに、スキー或いは工事現場などでは、特定のグローブを手にはめており、グローブをはめた状態で撮影する場合、グローブを手にはめていない状態でグリップ７２を把持する場合と比較してグリップ７２が小さく感じられ、グリップ７２を把持し難い。
【００９０】
このため、スキー或いは工事現場で使用する使用者用として、図６（Ｃ）に示すように、特殊グリップ７２Ｃを形成し、グリップ７２と比較して、肉厚ｔ３（ｔ３＜ｔ）を厚くし、また、凹部１００Ｃのピッチを大きくしている。
【００９１】
これにより、グローブをはめた状態でもグリップ７２をしっかり把持することができることとなる。このように、使用者に応じてグリップ７２の大きさを変えることで、必要充分な大きさのグリップ７２を得ることができる。
【００９２】
ところで、図２及び図３に示すように、グリップ７２にはメモリーＩＣ１０２を内蔵しており、このメモリーＩＣ１０２には、画素数、画質（画像データの圧縮率）及びストロボのＯＮ／ＯＦＦ等、所定の撮影条件を記憶させている。
【００９３】
グリップ７２をデジタルカメラ１０の本体１１に装着し、グリップ７２の接点部９８（図５参照）が収容部８０に設けられた接点部に接触してグリップ７２と本体１１とが電気的に接続されると、グリップ７２に内蔵されたメモリーＩＣ１０２に記憶された情報がメインＣＰＵ３０へ出力される。そして、メインＣＰＵ３０、撮影ＣＰＵ２４を介してＣＣＤ１２を用いた被写体像の撮像と共に、デジタルカメラ１０の全体の動作を制御する。
【００９４】
ここで、メモリーＩＣ１０２に記憶された情報は、グリップ７２、７２Ａ、７２Ｂ、７２Ｃ毎にそれぞれ変えており、一例を表１に示す。
【００９５】
【表１】
2004343206.tif 000003
標準のグリップ７２では撮影条件を、撮影モード：静止画撮影モード、画素数：標準、画質：標準、ストロボ：ＯＦＦ（標準モード））で記憶させており、撮影モード、画素数、画質、ストロボ等は、撮影時に適宜選択して条件を変更できるようにしている。
【００９６】
一方、子供用グリップ７２Ａでは、撮影条件を、撮影モード：オート、画素数：低、画質：低、ストロボ：強制ＯＮで記憶させており（子供モード）、子供モードでは、静止画撮影又は動画撮影は、自動的に選択されるようにしている。
【００９７】
また、子供の場合、一般的に、撮影された画像の画質の高さよりも、撮影可能な枚数が多い方が良いと考えられるため、撮影条件として画素数を低くして、撮影可能な枚数を多くしている。さらに、撮影時には手ブレが生じやすいため、強制ストロボに設定し、シャッタースピードを上げて手ブレを防止するようにしている。
【００９８】
そして、これらの撮影条件は変更できないようにしておく。子供モードでは、撮影に必要な条件のみを機能させるようにして、他の機能について選択してもキャンセルされるようにしておくことで、すでに記憶された画像を、子供が誤って消去してしまうという恐れはなくなる。
【００９９】
また、女性用グリップ７２Ｂでは、撮影条件を、撮影モード：オート、画素数：標準、画質：標準、ストロボ：強制ＯＮで記憶させ（女性モード）、撮影された画像の画質の高さをある程度確保するため、画素数及び画質を標準にしている。そして、これらの撮影条件は変更できないようにしておく。
【０１００】
さらに、特殊グリップ７２Ｃでは、撮影条件を、撮影モード：オート、画素数：高、画質：高、ストロボ：オートで記憶させている（特殊モード）。例えば、工事現場等の場合、撮影した画像をＡ４等の大きさに引き伸ばしたりする場合が多い。このため、画素数及び画質を高くして、画像を引き伸ばしても充分な鮮明度が得られるようにしておく。
【０１０１】
以上のように、使用者を分類し、また、使用者特有の撮影条件を予め設定して、グリップ７２に記憶させることで、このデジタルカメラ１０を初めて使用する人でも適切な撮影条件で撮影を行なうことができ、便利であると共に、誤作動を防止することができる。
【０１０２】
また、グリップ７２毎に撮影条件を設定し、グリップ７２を変えるだけで、その撮影条件が自動的に設定されるため、デジタルカメラ１０の外観を見ただけで、デジタルカメラ１０の撮影条件が、どのモードであるか分かるため、使用者がモードを間違うことはない。
【０１０３】
ここで、メモリーＩＣ１０２には、撮影装置本体を使用する使用者のデータを登録する使用者登録機能（ＩＤ）を持たせるようにしても良い。この場合、本体１１には登録されたデータと使用者のデータとの照合を行なうデータ照合機能をメインＣＰＵ３０に備える。
【０１０４】
使用者登録機能によって使用者のデータを登録した後、デジタルカメラ１０を使用するとき、メインＣＰＵ３０によって、使用者のデータと登録されたデータとの照合が行なわれる。
【０１０５】
これにより、登録された使用者以外の第三者が、デジタルカメラ１０を使用することができないようにすることができる。このため、デジタルカメラ１０が盗難された場合でも、盗難者によってデジタルカメラ１０が不正に使用されることはない。
【０１０６】
なお、ここでは、メモリーＩＣ１０２に記憶させる情報を表１に示す内容としたが、これに限るものではない。例えば、記憶させる情報自体を変えても良いし、女性モード、特殊モードでも条件を変更できるようにしても良い。
【０１０７】
また、グリップ７２を着脱させる方法として、図２に示すように、爪部８６を設け、コイルスプリング９６及びスライドレバー９０によって出入可能にさせ、凹部７６Ａに対して爪部８６を係合又は係合解除させるようにしたが、グリップ７２が着脱できれば良いため、これに限るものではない。例えば、グリップ７２にフック（図示省略）等を設け、デジタルカメラ１０の本体１１にこのフックを引っ掛けてグリップ７２を本体１１に固定させるようにしても良い。
【０１０８】
また、撮影条件を切替える切替え手段として、デジタルカメラ１０を使用する使用者を分類し各使用者に応じて特定したグリップ７２を交換するようにしたが、これに限るものではない。
【０１０９】
例えば、子供が勝手に撮影条件等を変更できないようにするための切替え手段であっても良く、キーロックの設定及び解除を行なうスイッチでも良い。また、スライドスイッチを設け、各モードに応じて対応して切替えるようにしても良い。
【０１１０】
また、ここでは、デジタルカメラ１０を使用する使用者を分類し、標準のグリップ７２、子供用グリップ７２Ａ、女性用グリップ７２Ｂ、特殊グリップ７２Ｃを形成させたが、使用者に拘らず、デジタルカメラ１０を持ちやすくすることができれば良いため、これに限るものではない。
【０１１１】
例えば、グリップ７２を形状記憶樹脂で形成させ、使用者に合わせて形状を変えるようにしても良い。具体的には、ポリウレタン系の形状記憶樹脂を用い、転移温度を約５０〜６０℃に設定する。形状記憶樹脂を６０℃以上に温め、形状記憶樹脂を軟らかくした後、自分の手に合わせて形状記憶樹脂の形状を変える。
【０１１２】
次に、グリップ７２を冷却し、５０〜６０℃以下にして、グリップ７２を固化させ、グリップ７２の形状を維持させる。これにより、自分の手に合ったグリップ７２を形成することができ、デジタルカメラ１０をさらに持ちやすくすることができる。
【０１１３】
また、本形態では、デジタルカメラについて説明したが、撮影装置であれば良いため、デジタルビデオカメラに適用しても勿論良い。
【０１１４】
【発明の効果】
本発明は、上記構成としたので、請求項１に記載の発明では、使用者を分類し、また、使用者特有の撮影条件を設定しておくことで、この撮影装置を初めて使用する人でも適切な撮影条件で撮影を行なうことができ、便利であると共に、誤作動を防止することができる。
【０１１５】
請求項２に記載の発明では、デジタルカメラの外観を見ただけで、デジタルカメラの撮影条件が大人モードであるか子供モードであるか分かるようになるため、間違ったモードで撮影されることはない。
【０１１６】
請求項３に記載の発明では、把持部の形状を使用者の分類に応じて変えているため、子供でも持ちやすい撮影装置とすることができ、撮影装置の落下を防止することができる。
【０１１７】
請求項４に記載の発明では、登録された使用者以外の第三者が、該撮影装置を使用することができないようにすることができるため、撮影装置が盗難された場合でも、盗難者によって該撮影装置が不正に使用されることはない。
【０１１８】
請求項５に記載の発明では、自分の手に合った把持部が形成され、撮影装置本体を持ちやすくすることができる。
【図面の簡単な説明】
【図１】本発明の実施の形態に係るデジタルカメラを示す斜視図であり、（Ａ）はレンズバリヤが閉止された状態で、（Ｂ）はレンズバリヤが開放された状態である。
【図２】本発明の実施の形態に係るデジタルカメラの本体とグリップの構成を示す分解斜視図である。
【図３】本発明の実施の形態に係るデジタルカメラの構成を示すブロック図である。
【図４】本発明の実施の形態に係るデジタルカメラの背面図である。
【図５】本発明の実施の形態に係るデジタルカメラの標準のグリップを示す斜視図である。
【図６】本発明の実施の形態に係るデジタルカメラのグリップを示す斜視図であり、（Ａ）は子供用グリップ、（Ｂ）は女性用グリップ、（Ｃ）は特殊グリップである。
【符号の説明】
１０      デジタルカメラ（撮影装置）
１１      本体（撮影装置本体）
３０      メインＣＰＵ（制御手段）
７２      グリップ（把持部、切替え手段）
７２Ａ  子供用グリップ（把持部、切替え手段）
７２Ｂ  女性用グリップ（把持部、切替え手段）
７２Ｃ  特殊グリップ（把持部、切替え手段）
９８      接点部（把持部、接点手段）
１０２  メモリーＩＣ（使用者登録機能、把持部、記憶手段）
【図１】
2004343206.tif 000004
【図２】
2004343206.tif 000005
【図３】
2004343206.tif 000006
【図４】
2004343206.tif 000007
【図５】
2004343206.tif 000008
【図６】
2004343206.tif 000009